(57)【特許請求の範囲】
【請求項１】
コントローラと、前記コントローラに検知情報を送信するセンサと、前記コントローラから受信する制御信号に従い光源を制御する制御部を有するとともに前記コントローラおよびセンサと別置に配設され前記コントローラの制御対象となる複数の照明機器とを含む複数のグループのうち第１のグループに属するセンサによって検知された検知情報を受信する受信部と；
前記受信部によって受信された検知情報に基づく情報を、前記第１のグループに属するセンサが属さない第２のグループに属するコントローラに出力する出力部と；
を具備し、
前記出力部は、
前記検知情報に基づく情報として、前記第２のグループに属する前記照明機器の点灯または消灯を指示する情報を前記第２のグループに属する前記コントローラに出力すること
を特徴とする照明制御装置。  
【請求項２】
請求項１に記載の照明制御装置と前記コントローラとを有する照明制御システムであって、
前記コントローラは、
前記検知情報に基づく情報に基づいて、当該コントローラの制御対象となる照明機器を制御する制御部；
を具備することを特徴とする照明制御システム。  
【請求項３】
前記コントローラの制御部は、
当該コントローラが属するグループに属するセンサから受信した検知情報と、前記照明制御装置から受信した他のグループに属するセンサによって検知された検知情報に基づく情報とに基づいて、当該コントローラが属するグループに属する照明機器を制御する
ことを特徴とする請求項２に記載の照明制御システム。  
【請求項４】
前記コントローラの制御部は、
当該コントローラが属するグループとは異なる他のグループに属するコントローラから受信した検知情報に基づく情報に応じた前記照明機器の制御は行わず、前記照明制御装置から受信した検知情報に基づく情報に応じた前記照明機器の制御を行なう
ことを特徴とする請求項２または３に記載の照明制御システム。  
【請求項５】
照明制御装置が実行する照明制御方法であって、
コントローラと、前記コントローラに検知情報を送信するセンサと、前記コントローラから受信する制御信号に従い光源を制御する制御部を有するとともに前記コントローラおよびセンサと別置に配設され前記コントローラの制御対象となる複数の照明機器とを含む複数のグループのうち第１のグループに属するセンサによって検知された検知情報を受信する受信工程と；
前記受信工程によって受信された検知情報に基づく情報を、前記第１のグループに属するセンサが属さない第２のグループに属するコントローラに出力する出力工程と；
を含み、
前記出力工程は、
前記検知情報に基づく情報として、前記第２のグループに属する前記照明機器の点灯または消灯を指示する情報を前記第２のグループに属する前記コントローラに出力すること
を特徴とする照明制御方法。
【発明の詳細な説明】
【技術分野】
【０００１】
本発明は、照明制御装置、照明制御システム及び照明制御方法に関する。
【背景技術】
【０００２】
従来、オフィス等の空間では、複数の照明機器が天井に取り付けられている。そして、各照明機器に設定されるＩＤを用いて、照明制御装置が各照明機器を制御する照明制御システムが導入されている。
【０００３】
このような照明制御システムでは、複数の照明機器に共通のＩＤがグループごとに設定される。そして、照明制御装置は、伝送線や無線通信を介して照明機器に制御命令を送信し、グループごとに照明を制御する。
【先行技術文献】
【特許文献】
【０００４】
【特許文献１】国際公開第２０１４／２０３５３７号
【特許文献２】特開２０１４−１０７２３０号公報
【発明の概要】
【発明が解決しようとする課題】
【０００５】
本発明が解決しようとする課題は、グループを跨いで照明を制御することができる照明制御装置、照明制御システム及び照明制御方法を提供することである。
【課題を解決するための手段】
【０００６】
実施形態に係る照明制御装置は、コントローラと、前記コントローラに検知情報を送信するセンサと、前記コントローラの制御対象となる照明機器とを含む複数のグループのうち第１のグループに属するセンサによって検知された検知情報を受信する受信部と、前記受信部によって受信された検知情報に基づく情報を、前記第１のグループに属するセンサが属さない第２のグループに属するコントローラに出力する出力部とを具備する。
【図面の簡単な説明】
【０００７】
【図１】図１は、実施形態に係る照明制御システムの構成例を示す図である。
【図２】図２は、実施形態に係るセンサの構成例を示す図である。
【図３】図３は、実施形態に係るコントローラの構成例を示す図である。
【図４】図４は、実施形態に係るコントローラの自グループ情報記憶部の一例を示す図である。
【図５】図５は、実施形態に係る照明制御装置の構成例を示す図である。
【図６】図６は、実施形態に係る照明制御装置のグループ情報記憶部の一例を示す図である。
【図７】図７は、実施形態に係る照明機器の構成例を示す図である。
【図８】図８は、実施形態に係る照明制御システムによる処理手順を示すシーケンス図である。
【図９】図９は、変形例に係る照明機器を制御する画面の一例を示す図である。
【発明を実施するための形態】
【０００８】
以下で説明する実施形態に係る照明制御装置１００は、受信部１３１と、出力部１３２とを具備する。受信部１３１は、コントローラ２０と、コントローラ２０に検知情報を送信するセンサ１０と、コントローラ２０の制御対象となる照明機器３０とを含む複数のグループのうち第１のグループに属するセンサ１０によって検知された検知情報を受信する。出力部１３２は、受信部１３１によって受信された検知情報に基づく情報を、第１のグループに属するセンサが属さない第２のグループに属するコントローラ２０に出力する。
【０００９】
また、以下で説明する実施形態に係る照明制御システム１において、コントローラ２０は、検知情報に基づく情報に基づいて、コントローラ２０の制御対象となる照明機器３０を制御してもよい。
【００１０】
また、以下で説明する実施形態に係る照明制御システム１において、コントローラ２０の照明制御部２６は、コントローラ２０が属するグループに属するセンサ１０から受信した検知情報と、照明制御装置１００から受信した他のグループに属するセンサ１０によって検知された検知情報に基づく情報とに基づいて、コントローラ２０が属するグループに属する照明機器３０を制御してもよい。
【００１１】
また、以下で説明する実施形態に係る照明制御システム１において、コントローラ２０の照明制御部２６は、コントローラ２０が属するグループとは異なる他のグループに属するコントローラ２０から受信した検知情報に基づく情報に応じた照明機器３０の制御は行わず、照明制御装置１００から受信した検知情報に基づく情報に応じた照明機器３０の制御を行なってもよい。
【００１２】
以下、図面を参照して、実施形態に係る照明制御装置、照明制御システム及び照明制御方法を説明する。実施形態において同一の機能を有する構成には同一の符号を付し、重複する説明は省略する。なお、以下の実施形態で説明する照明制御装置、照明制御システム及び照明制御方法は、一例を示すに過ぎず、実施形態を限定するものではない。例えば、以下の実施形態では、照明制御システムは、照明機器以外にも、任意の装置の制御にも適用することができる。なお、以下の各実施形態は、矛盾しない範囲内で適宜組みあわせてもよい。
【００１３】
［実施形態］
（実施形態に係る照明制御システムの構成）
図１は、実施形態に係る照明制御システムの構成例を示す図である。実施形態に係る照明制御システム１は、複数のセンサ１０−１〜１０−ｎと、複数のコントローラ２０−１〜２０−ｎと、複数の照明機器３０−１〜３０−ｎと、ハブ５と、照明制御装置１００とを有する。なお、以下では、センサ１０−１〜１０−ｎ、コントローラ２０−１〜２０−ｎ、照明機器３０−１〜３０−ｎをそれぞれ区別する必要がない場合には、これらを総称して「センサ１０」、「コントローラ２０」、「照明機器３０」と表記する場合がある。また、照明制御システム１に接続されるセンサ１０、コントローラ２０、照明機器３０、ハブ５および照明制御装置１００の種別や数などは、図１に示す例に限らず任意に設定することができる。
【００１４】
センサ１０と、コントローラ２０と、照明機器３０と、ハブ５と、照明制御装置１００とは、ネットワークを介して通信を行なう。ネットワークの一態様としては、有線や無線によって接続されるＬＡＮ（Local  Area  Network）などの通信網が挙げられる。例えば、センサ１０と、コントローラ２０と、照明機器３０とは、無線通信により接続される。また、例えば、ハブ５と、コントローラ２０と、照明制御装置１００とは、ケーブルを介して接続される。
【００１５】
センサ１０は、人の在不在に関する情報を検知する。具体的には、センサ１０は、照明制御システム１が制御する空間のうち、かかるセンサ１０が検知可能な範囲に存在する人を検知情報として検知する。例えば、センサ１０は、照明制御システム１が制御する部屋に設置される。そして、センサ１０は、検知可能な範囲に人が入ってきた場合に人の存在を検知する。その後、センサ１０は、検知した人の存在を示す検知情報をコントローラ２０に送信する。一例としては、センサ１０は、人感センサが採用される。なお、センサ１０は、人の在不在に関する情報に限らず、明るさに関する情報を検知してもよい。
【００１６】
コントローラ２０は、有線または無線によるネットワークによってセンサ１０、照明機器３０および照明制御装置１００と接続され、照明機器３０を制御する制御装置である。具体的には、コントローラ２０は、センサ１０によって検知される検知情報に基づいて照明機器３０を制御する。例えば、コントローラ２０は、人の在不在に基づいて照明機器３０の点灯や消灯を制御する制御信号を生成し、生成した制御信号を照明機器３０に送信する。
【００１７】
照明機器３０は、照明制御システム１が制御する宅内やオフィス等に設置され、部屋の天井に取り付けられる。例えば、照明機器３０は、ＬＥＤ（Light  Emitting  Diode）等の光源と、光源の制御を行なう制御部とを有する。そして、照明機器３０は、コントローラ２０から受信する制御信号に従って、制御部が光源を制御することで、点灯、消灯、照度の変更等を行なう。
【００１８】
照明制御装置１００は、照明制御システム１の制御を行なう制御装置である。具体的には、照明制御装置１００は、センサ１０によって検知される検知情報に基づく情報をコントローラ２０に出力する。例えば、照明制御装置１００は、センサ１０によって検知された人の存在に関する情報をコントローラ２０に出力する。
【００１９】
ここで、照明制御システム１では、複数のセンサ１０−１〜１０−ｎと、複数のコントローラ２０−１〜２０−ｎと、複数の照明機器３０−１〜３０−ｎとは、グループごとに共通のシステムＩＤが設定される。また、異なるシステムＩＤが付与されたグループ間では制御情報、検知情報を送受信しないように構成される。つまり、共通のシステムＩＤが付与されたグループ内でのみ検知情報、制御情報がやり取りされ、閉じたグループとして一つの完結したグループを構成する。従って、異なるシステムＩＤが付与されたグループ間は認識できないか、または制御にはなんら関与しない制御対象外のグループとして認識される。図１の例では、コントローラ２０−１と、センサ１０−１と、照明機器３０−１とは、共通のＩＤが付与され、グループＧ１を形成する。一例としては、グループＧ１は、コントローラ２０−１とセンサ１０−１と照明機器３０−１とが吹き抜けを有する建物等の１階に設置され、１階の明るさを制御するグループである。同様に、コントローラ２０−２は、センサ１０−２と、照明機器３０−２とグループＧ２を形成する。グループＧ２は、コントローラ２０−２とセンサ１０−２と照明機器３０−２とが建物の２階に設置され、２階の明るさを制御するグループである。コントローラ２０−ｎは、センサ１０−ｎと、照明機器３０−ｎとグループＧｎを形成する。グループＧｎは、コントローラ２０−ｎとセンサ１０−ｎと照明機器３０−ｎとが建物のｎ階に設置され、ｎ階の明るさを制御するグループである。言い換えると、照明制御システム１では、複数のグループＧ１〜Ｇｎが制御対象として登録される。なお、図１の例では、説明を簡単にするため、各グループに１つのセンサ１０、コントローラ２０、照明機器３０が属する例を示すが、実際には複数のセンサ１０、複数のコントローラ２０、複数の照明機器３０が属する。
【００２０】
また、照明制御システム１では、コントローラ２０は、グループ毎に設定される共通のシステムＩＤが付与されたセンサ１０を用いて照明機器３０の照明制御を行なう。このため、照明制御システム１では、コントローラ２０は、かかるコントローラ２０と同一グループに属するセンサ１０によって検知された検知情報を用いて同一グループに属する照明機器３０の照明を点灯、消灯、照度の変更を制御する。言い換えると、照明制御システム１では、コントローラ２０は、自グループに属する照明機器３０のみの制御を行ない、他のグループに属する照明機器３０の制御は行わない。すなわち、照明制御システム１では、各グループが制御単位となる。
【００２１】
ここで、実施形態に係る照明制御システム１では、コントローラ２０は、かかるコントローラ２０と異なるグループに属するセンサ１０によって検知された検知情報に基づいて、かかるコントローラ２０と同一グループに属する照明機器３０を制御する。言い換えると、コントローラ２０は、自グループ以外のグループに属するセンサ１０によって検知された検知情報を用いて、自グループに属する照明機器３０を制御する。具体的には、照明制御システム１では、照明制御装置１００を介することで１つの完結したグループを跨いで照明機器３０を制御する。言い換えると、照明制御システム１では、コントローラ２０が属するグループとは異なる他のグループに属するコントローラ２０から受信した検知情報に基づく情報に応じた照明機器３０の制御は行わず、照明制御装置１００から受信した検知情報に基づく情報に応じた照明機器３０の制御を行なう。
【００２２】
より具体的には、まず、照明制御装置１００は、コントローラ２０と、コントローラ２０に検知情報を送信するセンサ１０と、コントローラ２０の制御対象となる照明機器３０とを含む複数のグループのうち第１のグループに属するセンサ１０によって検知された検知情報を受信する。続いて、照明制御装置１００は、受信された検知情報に基づく情報を、第１のグループに属するセンサ１０が属さない第２のグループに属するコントローラ２０に出力する。そして、コントローラ２０は、検知情報に基づく情報に基づいて照明機器３０を制御する。
【００２３】
例えば、図１の例では、まず、コントローラ２０−１は、複数のグループＧ１〜Ｇｎのうち第１のグループＧ１に属するセンサ１０−１によって検知された人の存在を示す検知情報を受信する。一例としては、コントローラ２０−１は、センサ１０−１が設置された建物の１階に人が入ってきた場合に、人の存在を示す検知情報を受信する。そして、コントローラ２０−１は、受信された検知情報を照明制御装置１００に送信する。これにより、照明制御装置１００は、コントローラ２０−１から検知情報を受信する。続いて、照明制御装置１００は、受信された検知情報を第２のグループＧ２に属するコントローラ２０−２に出力する。これにより、コントローラ２０−２は、センサ１０−１によって検知された検知情報を受信する。そして、コントローラ２０−２は、センサ１０−１によって検知された検知情報に基づいて、照明機器３０−２を制御する。これにより、照明制御システム１は、例えば、建物の１階に人が入ってきたことをセンサ１０−１が検知した場合に、２階に設置された照明機器３０−２を点灯させることができる。
【００２４】
このように、照明制御システム１では、照明制御装置１００は、センサ１０によって検知された検知情報に基づく情報を、かかるセンサ１０が属するグループとは異なる他のグループに属するコントローラ２０に出力するので、グループを跨いで照明を制御することができる。例えば、照明制御システム１は、センサ１０によって検知された検知情報を用いて、かかるセンサ１０を制御するコントローラ２０が属するグループを跨いで他のグループに属する照明機器３０を制御することができる。このため、照明制御システム１は、グループ単位を基本として細やかな制御を実現しつつ、グループを跨いでより高い精度で照明を制御することができる。言い換えると、照明制御システム１は、異なるＩＤのグループ間で連携して照明を制御することができる。
【００２５】
（実施形態に係る各装置の機能構成）
［センサの構成］
次に、実施形態に係るセンサ１０について説明する。図２は、実施形態に係るセンサ１０の構成例を示す図である。図２に示すように、実施形態に係るセンサ１０は、検知部１１と、通信部１２と、制御部１３とを有する。
【００２６】
検知部１１は、照明制御システム１が制御する空間の各種情報を検知する。具体的には、検知部１１は、人の在不在を示す情報を検知情報として検知する。例えば、検知部１１には、人感センサが採用される。一例としては、検知部１１は、検知可能な範囲に人が入ってきた場合に、人の存在を検知する。
【００２７】
通信部１２は、他の装置との間で通信制御を行なうインターフェイスである。具体的には、通信部１２は、ネットワークを介して、コントローラ２０との間で各種の情報をやり取りする通信を行なう。例えば、通信部１２は、センサ１０によって検知された検知情報をコントローラ２０に送信する通信を行なう。
【００２８】
制御部１３は、センサ１０を制御するデバイスである。制御部１３としては、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部１３は、各種の処理手順を規定したプログラムや制御データを格納するための内部メモリを有し、これらによって種々の処理を実行する。制御部１３は、各種のプログラムが動作することにより各種の処理部として機能する。具体的には、制御部１３は、各種の情報を送信する制御を行なう。例えば、制御部１３は、検知部１１によって検知された検知情報を送信する。一例としては、制御部１３は、検知部１１によって人の存在が検知された場合に、人の存在を示す検知情報を無線通信によりコントローラ２０に送信する。
【００２９】
［コントローラの構成］
次に、実施形態に係るコントローラ２０について説明する。図３は、実施形態に係るコントローラ２０の構成例を示す図である。図３に示すように、実施形態に係るコントローラ２０は、通信部２１と、記憶部２２と、制御部２４とを有する。
【００３０】
通信部２１は、他の装置との間で通信制御を行なうインターフェイスである。具体的には、通信部２１は、ネットワークを介して、センサ１０や照明機器３０、照明制御装置１００との間で各種の情報をやり取りする通信を行なう。例えば、通信部２１は、センサ１０から検知情報を受信する通信を行なう。他の例では、通信部２１は、照明機器３０に制御信号を送信する通信を行なう。他の例では、通信部２１は、照明制御装置１００に検知情報を送信する通信や検知情報に基づく情報を受信する通信を行なう。
【００３１】
記憶部２２は、フラッシュメモリなどの半導体メモリ素子などの記憶装置である。なお、記憶部２２は、ＲＡＭ（Random  Access  Memory）、フラッシュメモリ、ＮＶＳＲＡＭ（Non  Volatile  Static  Random  Access  Memory）などのデータを書き換え可能な半導体メモリであってもよい。
【００３２】
具体的には、記憶部２２は、受信される要求を処理する各種プログラムを記憶する。また、記憶部２２は、制御部２４で実行されるプログラムで用いられる各種データを記憶する。例えば、記憶部２２は、自グループ情報記憶部２３を有する。
【００３３】
自グループ情報記憶部２３は、照明制御システム１が制御する空間に設置された装置が属するグループに関する情報を記憶する。例えば、自グループ情報記憶部２３は、グループに割り当てられたＩＤを、センサ１０、コントローラ２０、照明機器３０と対応付けて記憶する。ここで、図４に、実施形態に係る照明制御装置１００の自グループ情報記憶部２３の一例を示す。図４に示すように、自グループ情報記憶部２３は、「システムＩＤ」、「センサ」、「コントローラ」、「照明機器」といった項目を有する。
【００３４】
「システムＩＤ」は、センサ１０、コントローラ２０、照明機器３０を分類するグループを識別する固有の識別子を示す。「センサ」は、「システムＩＤ」によって識別されるグループに属するセンサ１０を識別する固有の識別子を示す。「コントローラ」は、「システムＩＤ」によって識別されるグループに属するコントローラ２０を識別する固有の識別子を示す。「照明機器」は、「システムＩＤ」によって識別されるグループに属する照明機器３０を識別する固有の識別子を示す。
【００３５】
すなわち、図４では、システムＩＤ「Ｇ１」のグループＧ１には、センサ１０−１、コントローラ２０−１、照明機器３０−１が属する例を示している。なお、図４の例では、各グループに１つのセンサ１０、コントローラ２０、照明機器３０が属する例を示すが、実際には１つに限らず任意の数のセンサ１０、コントローラ２０、照明機器３０が属する。
【００３６】
図３に戻り、制御部２４は、コントローラ２０を制御するデバイスである。制御部２４としては、ＣＰＵ、ＭＰＵ等の電子回路や、ＡＳＩＣ、ＦＰＧＡ等の集積回路を採用できる。制御部２４は、各種の処理手順を規定したプログラムや制御データを格納するための内部メモリを有し、これらによって種々の処理を実行する。制御部２４は、各種のプログラムが動作することにより各種の処理部として機能する。例えば、制御部２４は、受信部２５と、照明制御部２６と、送信部２７とを有する。
【００３７】
受信部２５は、センサ１０や照明制御装置１００から各種の情報を受信する。具体的には、受信部２５は、センサ１０によって送信された検知情報を受信する。より具体的には、受信部２５は、コントローラ２０が制御するグループに属するセンサ１０によって検知された検知情報を受信する。例えば、受信部２５は、検知情報として、人の存在を示す情報を無線通信によりセンサ１０から受信する。また、受信部２５は、照明制御装置１００から検知情報に基づく情報を受信する。例えば、受信部２５は、検知情報に基づく情報として、検知情報そのものや、照明機器３０に対して点灯、消灯、照度の変更を指示する情報を照明制御装置１００から受信する。
【００３８】
照明制御部２６は、コントローラ２０が制御するグループに属する照明機器３０を制御する。具体的には、照明制御部２６は、検知情報に基づいて、コントローラ２０の制御対象となる照明機器３０を制御する。例えば、照明制御部２６は、照明制御装置１００から出力された検知情報に基づく情報に基づいて照明機器３０を制御する。言い換えると、照明制御部２６は、コントローラ２０が属するグループとは異なる他のグループに属するコントローラ２０から受信した検知情報に基づく情報に応じた照明機器３０の制御は行わず、照明制御装置１００から受信した検知情報に基づく情報に応じた照明機器３０の制御を行なう。一例としては、照明制御部２６は、コントローラ２０が属するグループとは異なる他のグループに属するコントローラ２０から出力された検知情報に基づく情報を破棄し、照明制御装置１００から出力された検知情報に基づく情報に応じた制御信号を生成して照明機器３０に送信することで照明機器３０を制御する。一態様としては、照明制御部２６は、人の存在を示す検知情報に基づいて照明機器３０を点灯させる制御信号を生成し、生成した制御信号を照明機器３０に送信することで照明機器３０を制御する。
【００３９】
送信部２７は、照明制御装置１００や照明機器３０に対して各種の情報を送信する。具体的には、送信部２７は、受信部２５によって受信された検知情報を照明制御装置１００に送信する。言い換えると、送信部２７は、コントローラ２０が属するグループに属するセンサ１０によって検知された検知情報を照明制御装置１００に送信する。また、送信部２７は、制御信号を照明機器３０に送信する。例えば、送信部２７は、照明制御部２６によって生成された制御信号を照明機器３０に送信する。
【００４０】
［照明制御装置の構成］
次に、実施形態に係る照明制御装置１００について説明する。図５は、実施形態に係る照明制御装置１００の構成例を示す図である。図５に示すように、照明制御装置１００は、通信部１１０と、記憶部１２０と、制御部１３０とを有する。
【００４１】
通信部１１０は、他の装置との間で通信制御を行なうインターフェイスである。例えば、通信部１１０は、ネットワークを介して、コントローラ２０から検知情報を受信する通信を行なう。また、通信部１１０は、コントローラ２０から受信した検知情報に基づく情報をかかるコントローラ２０が属するグループ以外のグループに属するコントローラ２０に送信する通信を行なう。
【００４２】
記憶部１２０は、フラッシュメモリなどの半導体メモリ素子、ハードディスク、光ディスクなどの記憶装置である。なお、記憶部１２０は、ＲＡＭ、フラッシュメモリ、ＮＶＳＲＡＭなどのデータを書き換え可能な半導体メモリであってもよい。
【００４３】
具体的には、記憶部１２０は、受信される要求を処理する各種プログラムを記憶する。また、記憶部１２０は、制御部１３０で実行されるプログラムで用いられる各種データを記憶する。例えば、記憶部１２０は、グループ情報記憶部１２１を有する。
【００４４】
グループ情報記憶部１２１は、照明制御システム１が制御する空間に設置された装置が属するグループに関する情報を記憶する。例えば、グループ情報記憶部１２１は、グループに割り当てられたＩＤを、センサ１０、コントローラ２０、照明機器３０と対応付けて記憶する。ここで、図６に、実施形態に係る照明制御装置１００のグループ情報記憶部１２１の一例を示す。図６に示すように、グループ情報記憶部１２１は、「システムＩＤ」、「センサ」、「コントローラ」、「照明機器」といった項目を有する。
【００４５】
「システムＩＤ」は、センサ１０、コントローラ２０、照明機器３０を分類するグループを識別する固有の識別子を示す。「センサ」は、「システムＩＤ」によって識別されるグループに属するセンサ１０を識別する固有の識別子を示す。「コントローラ」は、「システムＩＤ」によって識別されるグループに属するコントローラ２０を識別する固有の識別子を示す。「照明機器」は、「システムＩＤ」によって識別されるグループに属する照明機器３０を識別する固有の識別子を示す。
【００４６】
すなわち、図６では、システムＩＤ「Ｇ１」のグループＧ１には、センサ１０−１、コントローラ２０−１、照明機器３０−１が属する例を示している。なお、図６の例では、各グループに１つのセンサ１０、コントローラ２０、照明機器３０が属する例を示すが、実際には１つに限らず任意の数のセンサ１０、コントローラ２０、照明機器３０が属する。
【００４７】
図５に戻り、制御部１３０は、照明制御装置１００を制御するデバイスである。制御部１３０としては、ＣＰＵ、ＭＰＵ等の電子回路や、ＡＳＩＣ、ＦＰＧＡ等の集積回路を採用できる。制御部１３０は、各種の処理手順を規定したプログラムや制御データを格納するための内部メモリを有し、これらによって種々の処理を実行する。制御部１３０は、各種のプログラムが動作することにより各種の処理部として機能する。例えば、制御部１３０は、受信部１３１と、出力部１３２とを有する。
【００４８】
受信部１３１は、照明制御システム１が制御する空間に関する各種の情報を受信する。具体的には、受信部１３１は、コントローラ２０によって送信された検知情報を受信する。より具体的には、受信部１３１は、コントローラ２０と、コントローラ２０に検知情報を送信するセンサ１０と、コントローラ２０の制御対象となる照明機器３０とを含む複数のグループのうち第１のグループに属するセンサ１０によって検知された検知情報を受信する。例えば、受信部１３１は、人の存在を示す検知情報を有線通信によりコントローラ２０から受信する。
【００４９】
出力部１３２は、検知情報に基づく情報を出力する。具体的には、出力部１３２は、受信部１３１によって受信された検知情報に基づく情報を、第１のグループに属するセンサが属さない第２のグループに属するコントローラ２０に出力する。例えば、出力部１３２は、第１のグループに属するセンサ１０によって検知された検知情報そのものを第２のグループに属するコントローラ２０に出力する。これにより、第２のグループに属するコントローラ２０は、出力部１３２から出力された検知情報に基づく情報に基づいて第２のグループに属する照明機器３０を制御する。
【００５０】
［照明機器の構成］
次に、実施形態に係る照明機器３０について説明する。図７は、実施形態に係る照明機器３０の構成例を示す図である。図７に示すように、実施形態に係る照明機器３０は、光源部３１と、通信部３２と、制御部３３とを有する。
【００５１】
光源部３１は、照明機器３０が有する光源である。具体的には、光源部３１は、制御部３３の制御に従って、点灯、消灯、照度の変更などが行われる。一例としては、光源部３１は、ＬＥＤ等の半導体発光素子により実現される。
【００５２】
通信部３２は、他の装置との間で通信制御を行なうインターフェイスである。具体的には、通信部３２は、ネットワークを介して、コントローラ２０との間で各種の情報をやり取りする通信を行なう。例えば、通信部３２は、光源部３１を制御する制御信号をコントローラ２０から受信する通信を行なう。
【００５３】
制御部３３は、照明の制御を行なうデバイスである。具体的には、制御部３３は、通信部３２によって受信された制御信号に従って光源部３１を制御する。より具体的には、制御部３３は、光源部３１の点灯、消灯、照度の変更を実行する。例えば、制御部３３は、光源部３１の照度、色温度、調光度の調整を行なう。一例としては、制御部３３は、調色器具変換テーブルを用いて変換された色温度と調光度に暖色の光源と白色の光源とを調合して色を調整する。なお、調色器具変換テーブルは、照明機器３０ごとに個別にファイルとして提供される。一態様としては、制御部３３は、制御信号が示す照度に光源部３１の光の出力を調整する。
【００５４】
［照明制御システムの処理手順］
次に、図８を用いて、実施形態に係る照明制御システム１による制御処理の流れについて説明する。図８は、実施形態に係る照明制御システム１による処理手順を示すシーケンス図である。
【００５５】
具体的には、コントローラ２０と、コントローラ２０に検知情報を送信するセンサ１０と、コントローラ２０の制御対象となる照明機器３０とを含む複数のグループＧ１〜Ｇｎのうち第１のグループＧ１に属するセンサ１０−１は、まず、検知情報を検知する（ステップＳ１０１）。例えば、センサ１０−１は、検知情報として、人の存在を示す情報を検知する。
【００５６】
そして、センサ１０−１は、検知した検知情報をコントローラ２０−１に送信する（ステップＳ１０２）。具体的には、センサ１０−１は、センサ１０−１と同じ第１のグループＧ１に属するコントローラ２０−１に検知情報を送信する。これにより、コントローラ２０−１は、検知情報をセンサ１０−１から受信する。
【００５７】
続いて、コントローラ２０−１は、受信した検知情報を照明制御装置１００に送信する（ステップＳ１０３）。言い換えると、コントローラ２０−１は、複数のグループＧ１〜Ｇｎのうち第１のグループＧ１に属するセンサ１０−１によって検知された検知情報を照明制御装置１００に送信する。これにより、照明制御装置１００は、検知情報をコントローラ２０−１から受信する。
【００５８】
その後、照明制御装置１００は、受信された検知情報に基づく情報を、第１のグループＧ１に属するセンサ１０−１が属さない第２のグループＧ２に属するコントローラ２０−２に出力する（ステップＳ１０４）。例えば、照明制御装置１００は、検知情報に基づく情報として、センサ１０−１によって検知された検知情報そのものをコントローラ２０−２に出力するこれにより、コントローラ２０−２は、検知情報に基づく情報を照明制御装置１００から受信する。
【００５９】
続いて、コントローラ２０−２は、検知情報に基づく情報に基づいて、照明機器３０−２を制御する。具体的には、コントローラ２０−２は、検知情報に基づく情報に基づいて制御信号を生成し、生成した制御信号を照明機器３０−２に送信する（ステップＳ１０５）。これにより、照明機器３０−２は、コントローラ２０−２から制御信号を受信する。そして、照明機器３０−２は、受信した制御信号に従って光を出力する（ステップＳ１０６）。
【００６０】
［実施形態の効果］
上述してきたように、実施形態に係る照明制御システム１によれば、センサ１０によって検知された検知情報に基づく情報を、かかるセンサ１０が属するグループとは異なる他のグループに属するコントローラ２０に出力するので、グループを跨いで照明を制御することができる。例えば、照明制御システム１は、センサ１０によって検知された検知情報を用いて、かかるセンサ１０を制御するコントローラ２０が属するグループを跨いで他のグループに属する照明機器３０を制御することができる。このため、照明制御システム１は、グループ単位を基本として細やかな制御を実現しつつ、グループを跨いでより高い精度で照明を制御することができる。言い換えると、照明制御システム１は、異なるＩＤのグループ間で連携して照明を制御することができる。
【００６１】
［実施形態の変形例］
（１．複数の検知情報を用いて照明を制御（１））
上記実施形態では、コントローラ２０−２が、複数のグループＧ１〜Ｇｎのうち第１のグループＧ１に属するセンサ１０−１によって検知された検知情報に基づく情報に基づいて、第２のグループＧ２に属する照明機器３０−２を制御する例を示した。ここで、照明制御装置１００は、複数のセンサによって検知された複数の検知情報を用いて照明を制御してもよい。
【００６２】
具体的には、コントローラ２０は、コントローラ２０が属するグループに属するセンサから受信した検知情報と、照明制御装置１００から受信した他のグループに属するセンサによって検知された検知情報に基づく情報とに基づいて、コントローラ２０が属するグループに属する照明機器３０を制御してもよい。例えば、コントローラ２０−２は、第２のグループＧ２に属するセンサ１０−２から受信した検知情報と、照明制御装置１００から出力された第１のグループＧ１に属するセンサ１０−１によって検知された検知情報に基づく情報とに基づいて、第２のグループＧ２に属する照明機器３０−２を制御する。
【００６３】
この場合、まず、第１のグループＧ１に属するセンサ１０−１は、照明制御装置１００に第１の検知情報を送信する。これにより、照明制御装置１００は、第１のグループＧ１に属するセンサ１０−１から検知される検知情報を受信する。続いて、照明制御装置１００は、第１のグループＧ１に属するセンサ１０−１から検知される検知情報に基づく情報をコントローラ２０−２に出力する。これにより、コントローラ２０−２は、第１のグループＧ１に属するセンサ１０−１から検知される検知情報に基づく情報を照明制御装置１００から受信する。また、コントローラ２０−２は、コントローラ２０−２と同じグループである第２のグループＧ２に属するセンサ１０−２から検知される検知情報を、センサ１０−２から受信する。そして、コントローラ２０−２は、第２のグループＧ２に属するセンサ１０−２から受信した検知情報と、照明制御装置１００から受信した第１のグループＧ１に属するセンサ１０−１によって検知された検知情報に基づく情報とに基づいて、第２のグループＧ２に属する照明機器３０−２を制御する。例えば、コントローラ２０−２は、照明機器３０−２を点灯させる制御信号を照明機器３０−２に出力する。
【００６４】
これにより、コントローラ２０は、複数の異なるグループに属するセンサ１０によって検知される検知情報を組み合わせて照明を制御することができるので、グループを跨いで検知情報を連携して所望の明るさに制御することができる。例えば、コントローラ２０は、１つのグループの検知情報を用いて制御する場合と比較して、高い精度で快適な明るさにすることができる。
【００６５】
（２．複数の検知情報を用いて照明を制御（２））
上記変形例では、コントローラ２０−２は、第２のグループＧ２に属するセンサ１０−２から受信した検知情報と、照明制御装置１００から受信した第１のグループＧ１に属するセンサ１０−１によって検知された検知情報に基づく情報とに基づいて、第２のグループＧ２に属する照明機器３０−２を制御する例を示した。ここで、コントローラ２０−２は、コントローラ２０−２が属する第２のグループＧ２以外のグループに属するセンサ１０によって検知された複数の検知情報に基づく情報を用いて照明機器３０−２を制御してもよい。例えば、コントローラ２０−２は、照明制御装置１００から受信した第１のグループＧ１に属するセンサ１０−１によって検知された検知情報に基づく情報と、第２のグループＧ２に属するセンサ１０−２から受信した検知情報と、照明制御装置１００から受信した第３のグループＧ３に属するセンサ１０−３によって検知された検知情報に基づく情報とに基づいて、第２のグループＧ２に属する照明機器３０−２を制御する
【００６６】
これにより、コントローラ２０は、複数の異なるグループに属するセンサ１０によって検知される複数の検知情報を用いて照明を制御することができるので、より高い精度で快適な明るさにすることができる。
【００６７】
（３．タブレット端末による制御）
上記実施形態では、コントローラ２０−２が、複数のグループＧ１〜Ｇｎのうち第１のグループＧ１に属するセンサ１０−１によって検知された検知情報に基づく情報に基づいて、第２のグループＧ２に属する照明機器３０−２を制御する例を示した。ここで、照明制御システム１では、利用者の指示に従って照明機器３０を制御してもよい。具体的には、照明制御システム１は、タブレット端末から受け付けた利用者の指示に従って照明機器３０を制御する。この点について、図９を用いて説明する。
【００６８】
図９は、変形例に係る照明機器３０を制御する画面の一例を示す図である。図９に示すように、タブレット端末Ｔｂは、照明制御システム１が制御する空間の見取り図ＦＤを画面に表示する。図９の例では、照明制御システム１が制御する空間には、照明機器３０−１１〜１９が設置されているものとする。このため、図９に示すように、見取り図ＦＤには、照明機器３０−１１〜３０−１９に対応するボタンＢ３０−１１〜Ｂ３０−１９が表示される。また、図９の例では、利用者によってタブレット端末ＴｂボタンＢ３０−１１がタップされたものとする。この場合、タブレット端末Ｔｂは、図９に示すように、ボタンＢ３０−１１に対応する照明機器３０−１１の照度と色温度を設定する設定画面Ｗｉを表示する。ここで、タブレット端末Ｔｂは、利用者によって照度や色温度の設定値が変更された場合に、かかる変更に対応する指示を照明制御装置１００に送信する。そして、照明制御装置１００は、タブレット端末Ｔｂから送信された指示を、照明機器３０−１１が属するグループのコントローラ２０に出力する。その後、コントローラ２０は、照明制御装置１００から出力された指示に従って制御信号を生成し、生成した制御信号を照明機器３０−１１に送信する。そして、照明機器３０−１１は、受信した制御信号に従って、利用者によって設定された照度や色温度で光を出力する。
【００６９】
これにより、照明制御システム１は、利用者の指示に従って照明を制御することができるので、利用者が所望する明るさに照明を制御することができる。また、照明制御システム１は、利用者に簡単な操作で容易に照明を調整させることができるので、利用者の利便性を向上させることができる。
【００７０】
（４．制御信号）
上記実施形態では、コントローラ２０が制御信号を生成し、生成した制御信号を照明機器３０に送信する例を示した。ここで、制御信号は、コントローラ２０に限らず、照明制御装置１００によって生成されてもよい。この場合、照明制御装置１００は、例えば、第１のグループＧ１に属するセンサ１０−１によって検知された検知情報に基づいて第２のグループＧ２に属する照明機器３０−２を制御する制御信号を生成し、生成した制御信号を第２のグループＧ２に属するコントローラ２０−２に出力する。そして、コントローラ２０−２は、受信した制御信号を照明機器３０−２に送信する。これにより、第２のグループＧ２に属する照明機器３０−２は、制御信号を受信し、かかる制御信号に従って光を出力する。
【００７１】
［その他］
上記実施形態では、照明制御システム１は、吹き抜けの建物等に設置される照明機器３０を制御する例を示した。ここで、照明制御システム１は、吹き抜けの建物に限らず、一般家庭の部屋や、オフィス、スタジオや舞台などといった施設に適用して照明制御処理を行ってもよい。
【００７２】
また、上記実施形態では、照明制御システム１では、グループを制御単位の基礎とする例を示したが、複数のグループを組み合わせたゾーンを１つの制御単位としてもよい。また、照明制御システム１は複数の照明制御システムと組み合わさることでポイントを形成し、ポイントに対して制御を行なってもよい。
【００７３】
また、上記実施形態では、照明制御システム１は、検知情報として人の在不在に関する情報に基づいて照明を制御する例を示したが、人の在不在に関する情報に限らず、明るさに関する情報や照明機器３０の起動状態に基づいて照明を制御してもよい。
【００７４】
また、上記実施形態では、照明制御システム１がグループを跨いで照明を制御する例を説明し、上記変形例では、照明制御システム１が利用者の指示に従って照明を制御する例を説明した。ここで、照明制御システム１は、これらの制御に限らず、予め設定されたスケジュールに従って照明を制御してもよい。
【００７５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７６】
１  照明制御システム
５  ハブ
１０  センサ
２０  コントローラ
２５  受信部
２６  照明制御部
２７  送信部
３０  照明機器
１００  照明制御装置
１３１  受信部
１３２  出力部
【図１】
0006651761.tif 000002
【図２】
0006651761.tif 000003
【図３】
0006651761.tif 000004
【図４】
0006651761.tif 000005
【図５】
0006651761.tif 000006
【図６】
0006651761.tif 000007
【図７】
0006651761.tif 000008
【図８】
0006651761.tif 000009
【図９】
0006651761.tif 000010